(57)【要約】【課題】従来歯列弓の形状把握にワックスや印象材の使用や、咬合圧測定フイルム状のセンサを咬合後発色の度合で分布状態を検知するもの、押圧感知抵抗体により咬合圧測定値をリアルタイムで表示する等個々のデータ取得手段があったが、治療前の具体的なシュミレーションを行うには不十分であったため、一般歯科医が容易に使用できる歯科用咬合圧測定・調整システムを提供する。【解決手段】咬合圧の測定値をリアルタイムで表示する、接触部位の位置決めと歯の早期接触部位の印記を実現した機能を付加した機器において、咬合圧測定センサシートからのリアルタイムの圧力値を、測定モード並びにマニュアル測定モードに区分し各種の咬合測定を行った結果をデジタル画像とレーダチャート及びグラフ等にて系統立てて簡明に表示・記録する。【選択図】図１
2005279094.tif 000002
【特許請求の範囲】
【請求項１】
（１）押圧位置検出信号出力機能を備えた歯科用咬合圧測定センサシートと、
同センサシートを着脱自在に支持するＵ字型の薄板状センササポートとからなり、かつ前記咬合圧測定センサシート面には印記材料が塗着されてなり、
また前記Ｕ字型の薄板状センササポートの表面には格子状をなすＸＹ座標目盛りとその区分を示す数字・記号が刻設又はプリントされてなる歯科用咬合圧測定用具と、
該咬合圧測定センサシートからのデジタル信号を受けてデータを処理するコンピュータと、その表示装置又は表示装置とプリンタを備えてなる、歯科用咬合圧測定・調整装置であり、
かつ前記コンピュータには、コンプリートデンチャー、パーシャルデンチャー、ロングスパンブリッジ及び歯冠修復等の、
測定モードが区分して設けられてなる歯科用咬合圧測定・調整装置を用いて、
（２）各モード毎に、クレンチング、タッピング又は側方運動の歯牙の運動を行って、Δ面積、ピークレシオ、ＯＴ等咬合圧測定項目における咬合圧の測定を行い、
（３）表示器に、１ファイル毎に前記ＸＹ目盛り付歯列咬合圧及び咬合バランス画像、前記各種咬合測定回数毎のリアルタイムのデータを重ねて測定の経過を一覧で示すレーダチャート並びに、荷重値対時間のグラフを表示し、
（４）前記の表示と各測定毎の記録のメモリ又はメモリ及びプリンタからのハードコピーにより、前記測定別の診断及び調整をすることを特徴とする歯科用咬合圧測定・調整システム。
【請求項２】
前記レーダチャートには、コンプリートデンチャー及びパーシャルデンチャー、では、（１）右側咬合力、（２）左側咬合力、（３）ＰＲ、（４）ＯＴ、（５）デルタを表示し、
ロングスパンブリッジ及び歯冠修復では、（１）ＰＲ、（２）ＯＴ、（３）デルタ、（４）ＤＴ右、（５）ＤＴ左のそれぞれ５項目を表示することを特徴とする請求項１に記載の歯科用咬合圧測定・調整システム。
【請求項３】
複数ファイルのデータ比較即ち、測定結果の画面表示は、前記歯列咬合圧画像、レーダチャートを経時的に同時に選択し並列に表示、あるいは歯列咬合圧画像のみの選択並列表示又は、歯列咬合画像、レーダチャートに前記グラフを並列表示を追加し並列表示できることを特徴とする請求項１又は２に記載の歯科用咬合圧測定・調整システム。
【請求項４】
前記、測定モードに加えて、
ＰＲ、ＯＴ、デルタ、ＤＴ（右）、ＤＴ（左）、ＣＯＦ等の咬合圧測定項目別に区分されたマニュアル測定モードを設けたことを特徴とする請求項１又は２に記載の歯科用咬合圧測定・調整システム。
【請求項５】
測定モードが、コンプリートデンチャーの場合、クレンチング、タッピングを行って表示器上の咬合接触記録又は早期接触部位表示機能から、早期接触が確認された時、
（１）表示器の画像目盛りと、センサシート上の印記材の抜けている部位の目盛りを比較して前記早期接触部位の同定を行い、
（２）人工歯咬合面の印記より早期接触部を確認し、印記が明瞭でないときは印記材をセンサシートに塗布、再度クレンチングを行い、
（３）早期接触部位を切削して咬合調整した後に再度咬合接触の記録を行い、
（４）調整後の記録からΔ面積（早期接触部総面積）減少の確認と、
（５）ピークレシオ減少の確認と、
（６）咬合圧重心位置ＣＯＦにより咬合のバランスを評価し、
前記表示器の歯列咬合圧画面とレーダチャート及びグラフによる診断・調整を行うことを特徴とする請求項１〜４のいずれか１項に記載の歯科用咬合圧測定・調整システム。
【請求項６】
測定モードが、パーシャルデンチャー（冠装着時及び少数歯欠損症例における部分義歯装着時）の場合、
（１）冠装着前にクレンチング、タッピングの咬合接触記録を行い、
（２）冠装着後、隣接面のコンタクト調整を行い、クレンチング、タッピングの咬合接触記録を行い、
（３）表示器画像上の咬合接触記録、あるいは早期接触部表示機能機能により、早期接触が確認された場合、早期接触部位を切削して咬合調整し、
（４）調整終了後、クレンチング、タッピングの咬合接触記録を行い、
（５）調整後の記録からΔ面積及びピークレシオの増加が認められなければ調整を終了し、
前記表示器の歯列咬合圧画面とレーダチャート及びグラフによる診断・調整を行うことを特徴とする請求項１〜４のいずれか１項記載にの歯科用咬合圧測定・調整システム。
【請求項７】
測定モードが、ロングスパンブリッジの場合、クレンチング、タッピング、側方運動を行って、表示器上の咬合接触記録又は早期接触部位表示機能から、早期接触が確認された時、
（１）表示器の画像目盛りと、センサシート上の印記材の抜けている部位の目盛りを比較して前記早期接触部位の同定を行い、
（２）人工歯咬合面の印記より早期接触部を確認し、印記が明瞭でないときは印記材をセンサシートに塗布、再度クレンチングを行い、
（３）早期接触部位を切削して咬合調整した後に再度咬合接触の記録を行い、
（４）調整後の記録からΔ面積減少の確認と、
（５）ピークレシオ減少の確認と、
（６）咬合圧重心位置ＣＯＦにより咬合のバランスを評価し、
（７）側方運動時のバランスの評価を行い、
前記表示器の歯列咬合圧画面とレーダチャート及びグラフによる診断・調整を行うことを特徴とする請求項１〜４のいずれか１項に記載の歯科用咬合圧測定・調整システム。
【請求項８】
測定モードが、歯冠修復（矯正、インプラント等を含む）の場合、
クレンチング、タッピング、側方運動を行って、
（１）表示器の画像目盛りと、センサシート上の印記材の抜けている部位の目盛りを比較して前記早期接触部位の同定を行い、
（２）人工歯咬合面の印記より早期接触部を確認し、印記が明瞭でないときは印記材をセンサシートに塗布、再度クレンチングを行い、
（３）早期接触部位を切削して咬合調整した後に再度咬合接触の記録を行い、
（４）調整後の記録からΔ面積減少の確認と、
（５）ピークレシオ減少の確認と、
（６）咬合圧重心位置ＣＯＦにより咬合のバランスを評価し、
（７）側方運動時のバランスの評価を行い、
前記表示器の歯列咬合圧画面及びレーダチャートによる診断・調整を行うことを特徴とする請求項１〜４のいずれか１項に記載の歯科用咬合圧測定・調整システム。
【発明の詳細な説明】
【技術分野】
【０００１】
本発明は歯科用咬合圧測定・調整システムに係り、特に咬合圧測定センサシートからのリアルタイムの圧力値に基づく各種の咬合測定を、測定モード並びにマニュアル測定モードに区分して行い、デジタル画像とレーダチャート及びグラフにて表示・記録することが可能なシステムに関する。
【背景技術】
【０００２】
従来、歯列弓の形状把握の手段として、ワックスや印象材が使用され、
また、咬合圧を測定する手段として、フイルム状のセンサ咬合の後、圧力による発色の度合いにより分布状態を検知し表示するもの、あるいは押圧感知抵抗体を
咬合したときの歯列の咬合圧の測定値をリアルタイムで表示する押圧位置検出信号出力機能を備えた咬合圧センサシート（特許第２９０４４９４号公報）等、個々のデータを取得する手段があった。
【特許文献１】特許第２９０４４９４号公報
【発明の開示】
【発明が解決しようとする課題】
【０００３】
しかしながら、前記の取得データは、治療に先立って具体的なシュミレーションを行うには不十分であり、実際の診断と治療は主として熟練者の経験に委ねられており、前記の取得装置は専ら専門の研究医によって使用され、一般の歯科医には普及されていなかった。
本発明では、咬合圧の測定値をリアルタイムで表示する前記（特許第２９０４４９４号公報）機器における、接触部位の位置決めと、歯の早期接触部位の印記を実現した機能を付加した機器において、
咬合圧測定センサシートからのリアルタイムの圧力値を、症例別並びにマニュアル測定モードに区分して各種の咬合測定を行った結果を、デジタル画像とレーダチャート及びグラフにて系統立てて簡明に表示・記録し、一般の歯科医が容易に使用することができる歯科用咬合圧測定・調整システムを提供する。
【課題を解決するための手段】
【０００４】
上記に鑑み本発明者等は鋭意実験研究の結果次の手段によりこの課題を解決した。
〔１〕、（１）押圧位置検出信号出力機能を備えた歯科用咬合圧測定センサシートと、同センサシートを着脱自在に支持するＵ字型の薄板状センササポートとからなり、かつ前記咬合圧測定センサシート面には印記材料が塗着されてなり、
また前記Ｕ字型の薄板状センササポートの表面には格子状をなすＸＹ座標目盛りとその区分を示す数字・記号が刻設又はプリントされてなる歯科用咬合圧測定用具と、該咬合圧測定センサシートからのデジタル信号を受けてデータを処理するコンピュータと、その表示装置又は表示装置とプリンタを備えてなる、歯科用咬合圧測定・調整装置であり、かつ前記コンピュータには、コンプリートデンチャー、パーシャルデンチャー、ロングスパンブリッジ及び歯冠修復等の、測定モードが区分して設けられてなる歯科用咬合圧測定・調整装置を用いて、
（２）各モード毎に、クレンチング、タッピング又は側方運動の歯牙の運動を行って、Δ面積、ピークレシオ、ＯＴ等咬合圧測定項目における咬合圧の測定を行い、
（３）表示器に、１ファイル毎に前記ＸＹ目盛り付歯列咬合圧及び咬合バランス画像、前記各種咬合測定回数毎のリアルタイムのデータを重ねて測定の経過を一覧で示すレーダチャート並びに、荷重値対時間のグラフを表示し、（４）前記の表示と各測定毎の記録のメモリ又はメモリ及びプリンタからのハードコピーにより、前記患者の症例別の診断及び調整をすることを特徴とする歯科用咬合圧測定・調整システム。
【０００５】
〔２〕、前記レーダチャートには、コンプリートデンチャー及びパーシャルデンチャー、では、（１）右側咬合力、（２）左側咬合力、（３）ＰＲ、（４）ＯＴ、（５）デルタを表示し、
ロングスパンブリッジ及び歯冠修復では、（１）ＰＲ、（２）ＯＴ、（３）デルタ、（４）ＤＴ右、（５）ＤＴ左のそれぞれ５項目を表示することを特徴とする前項〔１〕に記載の歯科用咬合圧測定・調整システム。
〔３〕、複数ファイルのデータ比較即ち、測定結果の画面表示は、前記歯列咬合圧画像、レーダチャートを経時的に同時に選択し並列に表示、あるいは歯列咬合圧画像のみの選択並列表示又は、歯列咬合画像、レーダチャートに前記グラフを並列表示を追加し並列表示できることを特徴とする前項〔１〕又は〔２〕に記載の歯科用咬合圧測定・調整システム。
〔４〕、前記、測定モードに加えて、ＰＲ、ＯＴ、デルタ、ＤＴ（右）、ＤＴ（左）、ＣＯＦ等の咬合圧測定項目別に区分されたマニュアル測定モードを設けたことを特徴とする前項〔１〕又は〔２〕に記載の歯科用咬合圧測定・調整システム。
【０００６】
〔５〕測定モードが、コンプリートデンチャーの場合、クレンチング、タッピングを行って、表示器上の咬合接触記録又は早期接触部位表示機能から、早期接触が確認された時、（１）表示器の画像目盛りと、センサシート上の印記材の抜けている部位の目盛りを比較して前記早期接触部位の同定を行い、（２）  人工歯咬合面の印記より早期接触部を確認し、印記が明瞭でないときは印記材をセンサシートに塗布、再度クレンチングを行い、（３）早期接触部位を切削して咬合調整した後に再度咬合接触の記録を行い、（４）調整後の記録からΔ面積（早期接触部総面積）減少の確認と、（５）ピークレシオ減少の確認と、（６）咬合圧重心位置ＣＯＦにより咬合のバランスを評価し、前記表示器の歯列咬合圧画面とレーダチャート及びグラフによる診断・調整を行うことを特徴とする前項〔１〕〜〔４〕のいずれか１項に記載の歯科用咬合圧測定・調整システム。
【０００７】
〔６〕測定モードが、パーシャルデンチャー（冠装着時及び少数歯欠損症例における部分義歯装着時）の場合、（１）冠装着前にクレンチング、タッピングの咬合接触記録を行い、（２）  冠装着後、隣接面のコンタクト調整を行い、クレンチング、タッピングの咬合接触記録を行い、（３）表示器画像上の咬合接触記録、あるいは早期接触部表示機能機能により、早期接触が確認された場合、早期接触部位を切削して咬合調整し、（４）調整終了後、クレンチング、タッピングの咬合接触記録を行い、（５）調整後の記録からΔ面積及びピークレシオの増加が認められなければ調整を終了し、前記表示器の歯列咬合圧画面とレーダチャート及びグラフによる診断・調整を行うことを特徴とする前項〔１〕〜〔４〕のいずれか１項に記載の歯科用咬合圧測定・調整システム。
【０００８】
〔７〕測定モードが、ロングスパンブリッジの場合、クレンチング、タッピング、側方運動を行って、表示器上の咬合接触記録又は早期接触部位表示機能から、早期接触が確認された時、（１）表示器の画像目盛りと、センサシート上の印記材の抜けている部位の目盛りを比較して前記早期接触部位の同定を行い、（２）人工歯咬合面の印記より早期接触部を確認、印記が明瞭でないときは印記材をセンサシートに塗布、再度クレンチングを行い、（３）早期接触部位を切削して咬合調整した後に再度咬合接触の記録を行い、（４）調整後の記録からΔ面積減少の確認と、（５）ピークレシオ減少の確認と、（６）咬合圧重心位置ＣＯＦにより咬合のバランスを評価し、（７）側方運動時のバランスの評価を行い、前記表示器の歯列咬合圧画面とレーダチャート及びグラフによる診断・調整を行うことを特徴とする前項〔１〕〜〔４〕のいずれか１項に記載の歯科用咬合圧測定・調整システム。
【０００９】
〔８〕測定モードが、歯冠修復（矯正、インプラント等を含む）の場合、クレンチング、タッピング、側方運動を行って、（１）表示器の画像目盛りと、センサシート上の印記材の抜けている部位の目盛りを比較して前記早期接触部位の同定を行い、（２）人工歯咬合面の印記より早期接触部を確認し、印記が明瞭でないときは印記材をセンサシートに塗布、再度クレンチングを行い、（３）早期接触部位を切削して咬合調整した後に再度咬合接触の記録を行い、（４）調整後の記録からΔ面積減少の確認と、（５）ピークレシオ減少の確認と、（６）咬合圧重心位置ＣＯＦにより咬合のバランスを評価し、（７）側方運動時のバランスの評価を行い、前記表示器の歯列咬合圧画面及びレーダチャートによる診断・調整を行うことを特徴とする前項〔１〕〜〔４〕のいずれか１項に記載の歯科用咬合圧測定・調整システム。
【発明の効果】
【００１０】
本発明の請求項１の発明によれば、
（１）押圧位置検出信号出力機能を備えた歯科用咬合圧測定センサシートと、同センサシートを着脱自在に支持するＵ字型の薄板状センササポートとからなり、かつ前記咬合圧測定センサシート面には印記材料が塗着されてなり、
また前記Ｕ字型の薄板状センササポートの表面には格子状をなすＸＹ座標目盛りとその区分を示す数字・記号が刻設又はプリントされてなる歯科用咬合圧測定用具と、該咬合圧測定センサシートからのデジタル信号を受けてデータを処理するコンピュータと、その表示装置又は表示装置とプリンタを備えてなる、歯科用咬合圧測定・調整装置であり、かつ前記コンピュータには、コンプリートデンチャー、パーシャルデンチャー、ロングスパンブリッジ及び歯冠修復等の、測定モードが区分して設けられてなる歯科用咬合圧測定・調整装置を用いて、（２）各モード毎に、クレンチング、タッピング又は側方運動の歯牙の運動を行って、Δ面積、ピークレシオ、ＯＴ等咬合圧測定項目における咬合圧の測定を行い、（３）表示器に、１ファイル毎に前記ＸＹ目盛り付歯列咬合圧及び咬合バランス画像、前記各種咬合測定回数毎のリアルタイムのデータを重ねて測定の経過を一覧で示すレーダチャート並びに、荷重値対時間のグラフを表示し、（４）前記の表示と各測定毎の記録のメモリ及びプリンタからのハードコピーにより、前記患者の症例別の診断及び調整をするため、
リアルタイムによる経過を表示画面で系統立てて容易に知ることができ、歯科咬合圧の調整を効率よく行うことができる。
【００１１】
請求項２の発明によれば、
レーダチャートには、コンプリートデンチャー及びパーシャルデンチャー、では、（１）右側咬合力、（２）左側咬合力、（３）ＰＲ、（４）ＯＴ、（５）デルタを表示し、ロングスパンブリッジ及び歯冠修復では、（１）ＰＲ、（２）ＯＴ、（３）デルタ、（４）ＤＴ右、（５）ＤＴ左、のそれぞれ５項目を表示し、必要測定項目と、その調整を行った結果が項目相互のバランスと共に表示されるため、状態を視覚的に容易に把握することができる。
【００１２】
請求項３の発明によれば、
複数ファイルのデータ比較即ち、測定結果の画面表示は、前記歯列咬合圧画像、レーダチャートを経時的に選択して並列に表示、あるいは歯列咬合圧画像のみの選択並列表示又は、歯列咬合画像、レーダチャートに前記グラフを追加し並列表示できるため、調整を行った時間的経過を容易に知ることができ、また各データを同時に見たいユーザの要望に応ずることができる。
【００１３】
請求項４の発明によれば、
測定モードに加えて、ＰＲ、ＯＴ、デルタ、ＤＴ（右）、ＤＴ（左）、ＣＯＦ等の咬合圧測定項目別に区分されたマニュアル測定モードを設けたため、必要な項目を容易に選択し測定することができる。
【００１４】
請求項５の発明によれば、
測定モードが、コンプリートデンチャーの場合、クレンチング、タッピングを行って、表示器上の咬合接触記録又は早期接触部位表示機能から、早期接触が確認された時、（１）表示器の画像目盛りと、センサシート上の印記材の抜けている部位の目盛りを比較して前記早期接触部位の同定を行い、（２）人工歯咬合面の印記より早期接触部を確認し、印記が明瞭でないときは印記材をセンサシートに塗布、再度クレンチングを行い、（３）早期接触部位を切削して咬合調整した後に再度咬合接触の記録を行い、（４）調整後の記録からΔ面積（早期接触部総面積）減少の確認と、（５）ピークレシオ減少の確認と、（６）咬合圧重心位置ＣＯＦにより咬合のバランスを評価し、前記表示器の歯列咬合圧画面とレーダチャート及びグラフによる診断・調整を行うことができる。
【００１５】
請求項６の発明によれば、
測定モードが、パーシャルデンチャー（冠装着時及び少数歯欠損症例における部分義歯装着時）の場合、（１）冠装着前にクレンチング、タッピングの咬合接触記録を行い（２）冠装着後、隣接面のコンタクト調整を行い、クレンチング、タッピングの咬合接触記録を行い、（３）表示器画像上の咬合接触記録、あるいは早期接触部表示機能機能により、早期接触が確認された場合、早期接触部位を切削して咬合調整し、（４）調整終了後、クレンチング、タッピングの咬合接触記録を行い、（５）調整後の記録からΔ面積及びピークレシオの増加が認められなければ調整を終了し、前記表示器の歯列咬合圧画面とレーダチャート及びグラフによる診断・調整を行うことができる。
【００１６】
請求項７の発明によれば、クレンチング、タッピング、側方運動を行って、
測定モードが、ロングスパンブリッジの場合、表示器上の咬合接触記録又は早期接触部位表示機能から、早期接触が確認された時、（１）表示器の画像目盛りと、センサシート上の印記材の抜けている部位の目盛りを比較して前記早期接触部位の同定を行い、（２）人工歯咬合面の印記より早期接触部を確認、印記が明瞭でないときは印記材をセンサシートに塗布、再度クレンチングを行い、（３）早期接触部位を切削して咬合調整した後に再度咬合接触の記録を行い、（４）調整後の記録からΔ面積減少の確認と、（５）ピークレシオ減少の確認と、（６）咬合圧重心位置ＣＯＦにより咬合のバランスを評価し、（７）側方運動時のバランスの評価を行い、前記表示器の歯列咬合圧画面とレーダチャート及びグラフによる診断・調整を行うことができる。
【００１７】
請求項８の発明によれば、
測定モードが、歯冠修復（矯正、インプラントを含む）の場合、クレンチング、タッピング、側方運動を行って、（１）表示器の画像目盛りと、センサシート上の印記材の抜けている部位の目盛りを比較して前記早期接触部位の同定を行い（２）人工歯咬合面の印記より早期接触部を確認し、印記が明瞭でないときは印記材をセンサシートに塗布、再度クレンチングを行い、（３）早期接触部位を切削して咬合調整した後に再度咬合接触の記録を行い、（４）調整後の記録からΔ面積減少の確認と、（５）ピークレシオ減少の確認と、（６）咬合圧重心位置ＣＯＦにより咬合のバランスを評価し、（７）側方運動時のバランスの評価を行い、前記表示器の歯列咬合圧画面及びレーダチャートによる診断・調整を行うことができる。
【発明を実施するための最良の形態】
【００１８】
以下、発明を実施するための最良の形態を説明する。
本発明において使用される用語の定義を下記に示す。
コンプリートデンチャー：Ｃｏｍｐｌｅｔｅ  ｄｅｎｔｕｒｅ  全部床義歯
パーシャルデンチャー：Ｐａｒｔｉａｌ  ｄｅｎｔｕｒｅ  部分床義歯
ロングスパンブリッジ：Ｌｏｎｇ  ｓｐａｎ  ｂｒｉｄｇｅ  長径間の架工義歯
歯冠修復：１本の歯のフルクラウン及び歯の一部にかぶせる修復
また、測定のための手段として
クレンチング：Ｃｌｅｎｃｈｉｎｇ  咬みしめ
タッピング：Ｔａｐｐｉｎｇ  連続的に早い速度でカチカチ咬み合わせる
側方運動：Ｌａｔｅｒａｌ  ｍｏｖｅｍｅｎｔ  側方への下額運動
測定項目として以下、
デルタ面積（Δ面積）：１回の咬みしめによる  早期接触部総面積
ピークレシオ（咬合干渉比）：ＰＲ（Ｐｅａｋ  ｒａｔｉｏ）１回のタッピング時間内に｛（出力の最大値を示す時間）−（開始点の時間）｝／｛（終了時の時間）−（出力が最大値を示す時間）｝
咬合バランス：ＣＯＦ（Ｃｅｎｔｅｒ  ｏｆ  Ｆｏｒｃｅ）咬合圧の重心位置による評価
ＯＴ（Ｏｃｃｌｕｓｉｏｎ  ｔｉｍｅ）：クレンチングにおいて、（最大咬合力の時の９０％時の時間）−（開始点の時間）
ＤＴ右（Ｄｉｓｃｌｕｓｉｏｎ  ｔｉｍｅ）：側方運動において、（平衡側の接触がなくなる時間）−（出力が最大値の９０％を示す時間）右側
ＤＴ左：同上左側
ＣＯＦ（Ｃｅｎｔｅｒ  ｏｆ  Ｆｏｒｃｅ）：咬合圧重心位置
をそれぞれ表す。
【００１９】
図１は、本発明の咬合圧測定・調整システム測定装置の機器構成図である。
図において、１は歯科用咬合圧測定装置、２はセンサシート、２’は挿入用センサガイド、３はセンサコネクタ、３’は挿入センサシート押圧レバー、４はパラレルインターフェイスモジュール、５は電源アダプタ、６はコンピュータ、７は表示器、８はプリンタ、９はセンササポート、９’はセンササポート開口部、１０はセンサシート側のＸＹ座標、１１は目盛り区分数字・記号、１２は画面上のＸＹ座標、１３は信号線、１４は塗布噴霧容器、１５は印記材、１６は被験者、１７は歯列を示す。
【００２０】
前記歯科用咬合圧測定装置１は、歯列１７の加圧力に応じて電気抵抗が変化する押圧感知抵抗体を配設したフイルム状で、前記抵抗体の薄膜の上下に１定間隔でマトリクス状に配設されたＸ及びＹ方向電極とその交点を個々の圧力検出点としてデジタルの測定値をリアルタイムで検出し、かつその上面部に配設された格子状のセンサシート側のＸＹ座標１０とその目盛り区分数字・記号（１１）及び、咬合部上に印記材１５が塗布された歯科用咬合圧測定センサシート２と、
該咬合圧測定センサシート２からのデジタル信号を受けてデータを処理するコンピュータ、即ち前記センサシート２のガイド兼保持具のセンササポート９を有するセンサコネクタ３からの信号を受け処理してコンピュータ６及び周辺装置に送るパラレルインターフェイスモジュール４と、前記咬合圧の解析、データ作成、画像作成等を行うコンピュータ６と、同表示器７と、プリンタ８を有している。
【００２１】
図２はＸＹ目盛りと区分数字を入れたセンササポートにセンサシートを挿入した時の外観斜視図である。
センサシート側のＸＹ座標１０は図のように、馬蹄形をしたセンササポート９の上面にプリントされている。
咬合面は中央部でこの面に目盛りはないが、左右のＸ目盛りあるいは、上方のＹ目盛りを延長した仮想のマトリックス線により、後記歯列の位置を知ることができる。また、後記表示器上には同規格の全域のマトリックスを表示することができるので比較照合すれば、より明確になる。
【００２２】
図３はＸＹ座標目盛りと区分数字を入れた透明スケール盤をセンサシートに戴置した時の外観図である。
図において、１０’は目盛り付き透明スケール盤のＸＹ座標、２３はＸＹ座標の透明スケール盤を示す。
本ＸＹ座標の透明スケール盤２３を図のようにセンササポート９の上に、センササポート９の目盛りに重ねて戴置し中央部のマトリックス表示としてもよく、あるいは目盛りのないセンササポート９の上に戴置してもよく、共に歯列の位置を知ることができる。
【００２３】
図４はセンサシートに残る歯列データの外観図である。
図において１８は塗布エリア、２１は歯列データを示す。
歯列データ２１を取得するために、前記印記材１５が塗布エリア１８内に塗布され、咬合時には剥がされて歯列データ２１が残る。
この位置は前記ＸＹ座標目盛りにより特定することができる。
【００２４】
図５は印記材の歯牙付着図である。
図において、１９は上顎、２０は下顎を示す。
前記印記材１５が塗着したセンサシート２を咬合すると、前記歯牙の歯列１７の咬合面に印記材１５が印記される。
【００２５】
図６は表示器に表示された咬合圧データの図である。
図において、２２は咬合圧データを示す。
歯科用咬合圧測定装置１の表示器７上には、前記コンピュータ６において作成された前記センサシート２と同様な格子状をなしかつ、目盛り区分数字１１が入った画面上のＸＹ座標１２が画像化され、咬合時におけるリアルタイムの咬合圧データ２２が表示される。
【００２６】
前記の構成による作用について説明する。
図１において、印記材１５が塗着したセンサシート２を咬合すると、生体歯牙の歯列１７又は義歯の咬合面に印記材１５が印記される（図５）とともに、センサシート２の咬合部には、上記歯牙に印記された部分が剥がされた状態の歯形の位置即ち歯列データ２１が前記表示（図４）される。
この歯形の位置は、前記ＸＹ座標１０の目盛り区分数字・記号１１により特定する。
【００２７】
一方、前記咬合圧測定装置１の表示器７の画面（図６）に表示された前記画面上のＸＹ座標１２の目盛り区分数字・記号１１により、リアルタイムによる個々の咬合圧データ２２の画像の位置を特定する。
前記咬合圧データ２２は、上顎１９又は下顎２０（図５）の歯列１７を咬合したときの画像であるが、前記センサシート２に残る表又は裏面の歯列の歯形（図４）の外郭の中に含まれている。
【００２８】
従って、前記センサシート２の歯列データ２１（図４）と、表示画面の咬合圧データ２２（図６）の両者を並べて目視して比較し、対応する前記画面上のＸＹ座標１２並びにセンサシート側のＸＹ座標１０の位置の確認により、咬合圧データ２２を示す歯牙が、歯列データ２１のどの歯牙に該当しているのか、の位置決めをすることができる。
【００２９】
また、前記印記材１５が塗布されたセンサシート２を咬合すると、歯列１７（図１）又は義歯の咬合面（上顎１９又は下顎２０あるいは両顎歯列）に印記材１５が印記された印記像（図５）が得られるため、目視により、歯列データ２１と咬合圧データ２２と、歯牙の印記像を対比して、相互関係を確認することができる。
即ち、生体歯牙の歯列１７又は義歯における咬合接触部の位置関係が明確になり、診断に引続いて生体歯牙の歯列１７又は義歯の特定咬合部位の切削、研磨等の作業を繰り返す場合、前記咬合圧データ２２と、歯列データ２１と、歯牙の印記像とを比較検討しながら咬合調整を的確に実施することができる。
【００３０】
次ぎに前記咬合圧測定装置１による操作について説明する。
操作は、後記測定モード即ち、前記用語説明に記した、モード１・コンプリートデンチャー２８、モード２・パーシャルデンチャー２９、モード３・ロングスパンブリッジ３０、モード４・歯冠修復３１等に区分して設け、各モード毎に、クレンチング、タッピング、又は側方運動を行って、
Δ面積、ピークレシオ等の１〜複数回の咬合圧分布の測定を行い、
表示器７に、１ファイル毎に前記ＸＹ目盛り付歯列咬合圧及び前記ＣＯＦ４０による咬合バランス画像及び、前記各種咬合測定回数毎のリアルタイムのデータを重ねて測定の経過を一覧で示すレーダチャート（２５）並びに、荷重値対時間のグラフ（２６）等を表示し（図９）、
前記の表示とコンピュータ６内の各測定毎の記録のメモリ及び、プリンタ８からのハードコピーにより、診断・調整する。
（図９において、２５はレーダーチャート、２６はグラフを示す）
【００３１】
前記レーダチャート２５には、モード１・コンプリートデンチャー２８、モード２・パーシャルデンチャー２９では、（１）右側咬合力３６、（２）左側咬合力３７、（３）ＰＲ３３、（４）ＯＴ３４、（５）デルタ３５を表示し（図９）、
モード３・ロングスパンブリッジ３０、モード４・歯冠修復３１では、（１）ＰＲ３３、（２）ＯＴ３４、（３）デルタ３５、（４）ＤＴ右３８、（５）ＤＴ左３９のそれぞれ５項目を表示する。
【００３２】
また、複数ファイルのデータ比較即ち、測定結果の画面表示は、前記歯列咬合圧画像（図６）と咬合圧バランスを測定する前記ＣＯＦ４０の画像及びレーダチャート２５を、例えば開始、終了時等の経時的に選択し同時に並列に表示（図１０）、あるいは歯列咬合圧画像のみの選択並列表示（図１１）又は、歯列咬合画像（図６）及びレーダチャート２５に、前記グラフ２６を追加し、並列表示（図１２）できる。
【００３３】
前記、測定モードに加えて、
測定項目別に区分されたマニュアル測定モード３２即ち、ＰＲ３３、ＯＴ３４、デルタ３５、右側咬合力３６、左側咬合力３７、ＤＴ（右）３８、ＤＴ（左）３９、ＣＯＦ４０等を設け、必要に応じて選択できるようにしている（図８）。
【００３４】
そして、前記測定モードが、モード１・コンプリートデンチャー２８の場合、前記クレンチング、タッピングによる表示器７上の咬合接触記録又は早期接触部位表示４１（図９）の機能から、早期接触が確認された時、
（１）表示器７の画像目盛り１２（図６）と、センサシート２上の印記材１５の抜けている部位の目盛り１０、１１（図４）とを比較して前記早期接触部位の同定を行う、
（２）人工歯咬合面の印記（図５）より早期接触部を確認し、印記が明瞭でないときは印記材１５をセンサシート２に塗布、再度クレンチングを行う、
（３）早期接触部位を切削して咬合調整した後に再度咬合接触の記録を行う、
（４）調整後の記録からΔ面積（早期接触部総面積）の減少を確認する、
（５）ピークレシオの減少を確認する、
（６）咬合圧重心位置ＣＯＦ４０により咬合のバランスを評価する、
前記表示器の歯列咬合圧画面と、レーダチャート２５及びグラフ２６（図９）による診断・調整を行う。
【００３５】
測定モードが、モード２・パーシャルデンチャー（冠装着時及び少数歯欠損症例における部分義歯装着時）の場合、
（１）冠装着前にクレンチング、タッピングの咬合接触記録を行う、
（２）冠装着後、隣接面のコンタクト調整を行い、クレンチング、タッピングの咬合接触記録を行う、
（３）表示器画像上の咬合接触記録、あるいは早期接触部表示機能機能により、早期接触が確認された場合、早期接触部位を切削して咬合調整する、
（４）調整終了後、クレンチング、タッピングの咬合接触記録を行う、
（５）調整後の記録からΔ面積及びピークレシオの増加が認められなければ調整を終了し、
前記表示器の歯列咬合圧画面とレーダチャート２５及びグラフ２６（図９）による診断・調整を行う。
【００３６】
測定モードが、モード３・ロングスパンブリッジ３０の場合、クレンチング、タッピング、側方運動を行って、表示器７上の咬合接触記録又は早期接触部位表示４１機能から、早期接触が確認された時、
（１）表示器７の画像目盛り１２と、センサシート２上の印記材１５の抜けている部位の目盛り１０、１１を比較して前記早期接触部位の同定を行う、
（２）人工歯咬合面の印記より早期接触部を確認し、印記が明瞭でないときは印記材１５をセンサシート２に塗布、再度クレンチングを行う、
（３）早期接触部位を切削して咬合調整した後に再度咬合接触の記録を行う、
（４）調整後の記録からΔ面積減少を確認し、
（５）ピークレシオの減少を確認し、
（６）咬合圧重心位置ＣＯＦ４０により咬合のバランスの評価をし、
（７）側方運動時のバランスの評価を行う、
前記表示器の歯列咬合圧画面とレーダチャート２５及びグラフ２６（図９）による診断・調整を行う。
【００３７】
測定モードが、モード４・歯冠修復３１（矯正、インプラント等を含む）の場合、クレンチング、タッピング、側方運動を行って、
（１）表示器７の画像目盛り１２と、センサシート２上の印記材１５の抜けている部位の目盛りを比較して前記早期接触部位の同定を行う、
（２）人工歯咬合面の印記より早期接触部を確認し、印記が明瞭でないときは印記材１５をセンサシート２に塗布、再度クレンチングを行う、
（３）早期接触部位を切削して咬合調整した後に再度咬合接触の記録を行う、
（４）調整後の記録からΔ面積減少を確認する、
（５）ピークレシオの減少を確認する、
（６）咬合圧重心位置ＣＯＦにより咬合のバランスを評価し、
（７）側方運動時のバランスの評価を行う、
前記表示器７の歯列咬合圧画面及びレーダチャート２５（図９）による診断・調整を行う、
【００３８】
前記測定モード２７及びマニュアル測定モード３２等の分類や、細分化の編集機能の操作は、画面上にメニューバー及びツールバー等によって表示し、操作はマウス等によって簡単にできるようになっている。
上記の操作モードの事例を、以下の図に示す。
図７は、測定モード説明図である。
図において２７は測定モードを示す。
図示したように、分類表示はボタンの選択により、測定モード２７の大分類から、モード１、２８〜モード４、３１に分類され、さらにモード毎の測定項目が例えば、右側咬合力３６、左側咬合力３７、ＰＲ３３，ＯＴ３４、デルタ３５等に小分類されて、関連運動と共に表示される。
【００３９】
図８はマニュアル測定モード説明図である。
図において３２はマニュアル測定モードを示す。
図示したように、分類表示はボタンの選択によりマニュアル測定モード３２の大分類から、ＰＲ３３、ＯＴ３４、デルタ３５、右側咬合力３６、左側咬合力３７、右側ＤＴ３８、左側ＤＴ３９、ＣＯＦ４０の各測定項目に分類され、関連運動と共に表示されて、該当する測定を行うことができる。
【００４０】
図９は歯列咬合圧画面とレーダチャートと荷重値対時間グラフ他のデータ表及び、操作選択用のスイッチを示す総合図である。
図において、４１は早期接触部位表示、４２はメニューバー、４３はツールバー、４４は測定開始、４５は測定終了、４６は記録再生、４７は新規測定画面の各スイッチ、５２は圧力スケールを示す。
本表示画面では、各種の測定結果が総合的に表示されると共に、スイッチによる選択を行うことができる。
【００４１】
図１０は歯列咬合圧画面とレーダチャートの並列表示画面図である。
図において、４８はファイル１、４９はファイル２を示す。
本図は、ファイル１、４８、ファイル２、４９相互の時間経過の比較を示している。
図１１は、歯列咬合圧画面のみの複数表示画面図である。
図において、５０はファイル３、５１はファイル４を示す。
本図は、歯列咬合圧図のファイル１〜ファイル４に到る時間的経過を示している。
【００４２】
図１２は歯列咬合圧画面とレーダチャートとグラフ・波形等のデータ表の表示画面図である。
例えば、測定開始時ファイル１、４８、測定中間のファイル２、４９、測定終了ファイル３、５０等の各データの時間的経過を示しており、データを見たいユーザ等にも提示することができる。
なお、本器はデータベースとして患者の登録、データ保存や、選択表示等の機能も有している。
【図面の簡単な説明】
【００４３】
【図１】本発明の咬合圧測定・調整システム測定装置の機器構成図
【図２】ＸＹ目盛りと区分数字を入れたセンササポートにセンサシートを挿入した時の外観斜視図
【図３】ＸＹ座標目盛りと区分数字を入れた透明シートをセンサシートに戴置した時の外観図
【図４】センサシートに残る歯列データの外観図
【図５】印記材の歯牙付着図
【図６】表示器に表示された咬合圧データの図
【図７】測定モード説明図
【図８】マニュアル測定モード説明図
【図９】歯列咬合圧画面とレーダチャートと荷重値対時間グラフ他のデータ表及び、操作選択用のスイッチを示す総合図
【図１０】歯列咬合圧画面とレーダチャートの並列表示画面図
【図１１】歯列咬合圧画面のみの複数表示画面図
【図１２】歯列咬合圧画面とレーダチャートとグラフ・波形等のデータ表の表示画面図
【符号の説明】
【００４４】
１：歯科用咬合圧測定装置                ２：センサシート
２’：挿入用センサガイド                ３：センサコネクタ
３’：挿入センサシート押圧レバー
４：パラレルインターフェイスモジュール
５：電源アダプタ                        ６：コンピュータ
７：表示器                              ８：プリンタ
９：センササポート                      ９’：センササポート開口部
１０：センサシート側のＸＹ座標
１０’：目盛り付透明スケール盤のＸＹ座標
１１：目盛り区分数字・記号              １２：画面上のＸＹ座標          
１３：信号線                            １４：塗布噴霧容器              
１５：印記材                            １６：被験者                    
１７：歯列                              １８：塗布エリア                
１９：上顎                              ２０：下顎                      
２１：歯列データ                        ２２：咬合圧データ              
２３：透明スケール盤                    ２５：レーダーチャート
２６：グラフ                            ２７：測定モード
２８：モード１・コンプリートデンチャー
２９：モード２・パーシャルデンチャー
３０：モード３・ロングスパンブリッジ
３１：モード４・歯冠修復                ３２：マニュアル測定モード
３３：ＰＲ                              ３４：ＯＴ
３５：デルタ                            ３６：右側咬合力                
３７：左側咬合力                        ３８：ＤＴ右
３９：ＤＴ左                            ４０：ＣＯＦ
４１：早期接触部位表示                  ４２：メニューバー
４３：ツールバー                        ４４：測定開始
４５：測定終了                          ４６：記録再生
４７：新規測定画面スイッチ              ４８：ファイル１                
４９：ファイル２                        ５０：ファイル３                
５１：ファイル４                        ５２：圧力スケール
【図１】
2005279094.tif 000003
【図２】
2005279094.tif 000004
【図３】
2005279094.tif 000005
【図４】
2005279094.tif 000006
【図５】
2005279094.tif 000007
【図６】
2005279094.tif 000008
【図７】
2005279094.tif 000009
【図８】
2005279094.tif 000010
【図９】
2005279094.tif 000011
【図１０】
2005279094.tif 000012
【図１１】
2005279094.tif 000013
【図１２】
2005279094.tif 000014